(57)【要約】【課題】共用される携帯電話機の広告の受信時に広告の効果が薄められるのを防止する。【解決手段】受信した広告を表示する広告表示装置に、複数のユーザーデータに対するパスワードをそれぞれ保存する第１データベース106Aと、ユーザーデータに対する広告の登録の可否情報を保存する第２データベース106Bと、ユーザーデータに対する広告のコンテンツを保存する第３データベース106Cと、第１のデータベースを参照してパスワードを照合し確認されたユーザーデータに対して第２データベースへの広告の登録の可否情報を保存しさらに第３データベースに受信した広告を保存する制御を行う広告保存制御部107Aと、第１データベースを参照してパスワードを照合し確認されたユーザーデータに対して第２データベースに保存されている広告の登録の可否情報に基づいて第３データベースに保存されている広告のコンテンツを表示する制御を行う広告表示制御部107Bとを備える。【選択図】図１
2009199471.tif 000002
【特許請求の範囲】
【請求項１】
受信した広告を表示する広告表示装置において、
複数のユーザーデータに対するパスワードをそれぞれ保存する第１のデータベースと、
ユーザーデータに対する広告の登録の可否情報を保存する第２のデータベースと、
ユーザーデータに対する広告のコンテンツを保存する第３のデータベースと、
パスワードを入力し前記第１のデータベースを参照してパスワードを照合しユーザーデータを確認し確認されたユーザーデータに対して前記第２のデータベースへの広告の登録の可否情報を保存しさらに第３のデータベースに受信した広告を保存する制御を行う広告保存制御部と、
パスワードを入力し前記第１のデータベースを参照してパスワードを照合しユーザーデータを確認し確認されたユーザーデータに対して前記第２のデータベースに保存されている広告の登録の可否情報に基づいて前記第３のデータベースに保存されている広告のコンテンツを表示する制御を行う広告表示制御部とを備えることを特徴とする広告表示装置。
【請求項２】
前記広告保存制御部は、パスワードの照合が確認されたユーザーデータに対して前記第２のデータベースにユーザーデータに対する広告の登録の可情報が保存されていない場合には広告の登録要求がある場合に広告の登録の可情報を保存することを特徴とする、請求項１に記載の広告表示装置。
【請求項３】
前記広告保存制御部は、パスワードの照合が確認されたユーザーデータに対して前記第２のデータベースにユーザーデータに対する広告の登録の可情報が保存され、広告保存の要求がある場合に前記第３のデータベースにユーザーデータに対する広告のコンテンツを保存することを特徴とする、請求項１に記載の広告表示装置。
【請求項４】
前記広告表示装置はパスワードの照合が確認されたユーザーデータに対して前記第２のデータベースにユーザーデータに対する広告の登録の可情報が保存され、前記第３のデータベースに広告のコンテンツが保存されている場合に、保存されている広告のコンテンツを表示することを特徴とする、請求項１に記載の広告表示装置。
【請求項５】
受信した広告を表示する広告表示方法において、
複数のユーザーデータに対するパスワードをそれぞれ保存する第１のデータベースを参照して入力したパスワードを照合してユーザーデータを確認し確認されたユーザーデータに対して第２のデータベースに広告の登録の可否情報を保存しさらに第３のデータベースに受信した広告をコンテンツとして保存する制御を行う工程と、
前記第１のデータベースを参照して入力したパスワードを照合しユーザーデータを確認し確認されたユーザーデータに対して前記第２のデータベースに保存されている広告の登録の可否情報に基づいて前記第３のデータベースに保存されている広告のコンテンツを表示する制御を行う工程とを備えることを特徴とする広告表示方法。
【請求項６】
受信した広告を表示する広告表示プログラムにおいて、
複数のユーザーデータに対するパスワードをそれぞれ保存する第１のデータベースを参照して入力したパスワードを照合してユーザーデータを確認し確認されたユーザーデータに対して第２のデータベースに広告の登録の可否情報を保存しさらに第３のデータベースに受信した広告をコンテンツとして保存する制御を行う手順と、
前記第１のデータベースを参照して入力したパスワードを照合しユーザーデータを確認し確認されたユーザーデータに対して前記第２のデータベースに保存されている広告の登録の可否情報に基づいて前記第３のデータベースに保存されている広告のコンテンツを表示する制御を行う手順とを備えることを特徴とする広告表示プログラム。
【請求項７】
受信した広告を表示する携帯電話機において、
複数のユーザーデータに対するパスワードをそれぞれ保存する第１のデータベースと、
ユーザーデータに対する広告の登録の可否情報を保存する第２のデータベースと、
ユーザーデータに対する広告のコンテンツを保存する第３のデータベースと、
Ｗｅｂアクセス時にパスワードを入力し前記第１のデータベースを参照してパスワードを照合しユーザーデータを確認し確認されたユーザーデータに対して前記第２のデータベースへの広告の登録の可否情報を保存しさらに第３のデータベースに受信した広告を保存する制御を行う広告保存制御部と、
発着信時にパスワードを入力し前記第１のデータベースを参照してパスワードを照合しユーザーデータを確認し確認されたユーザーデータに対して前記第２のデータベースに保存されている広告の登録の可否情報に基づいて前記第３のデータベースに保存されている広告のコンテンツを表示する制御を行う広告表示制御部とを備えることを特徴とする広告表示装置。
【発明の詳細な説明】
【技術分野】
【０００１】
本発明は受信した広告の表示を行う広告表示装置に関する。特に、本発明は、共有使用される端末で受信される広告の効果が薄れるのを防止する広告表示装置、方法、プログラム及び端末に関する。
【背景技術】
【０００２】
近年、携帯電話機を含む端末に広告を表示する機能を搭載したものが多く普及するようになってきた。以下、携帯電話機を端末の一例として説明を行う。通常、携帯電話機のユーザーは多種類の広告を選択し表示することが可能である。
ところで、携帯電話機を複数のユーザーが共有している場合がある。例えば、ユーザーＡ、Ｂで共用しており、ユーザーＡが選択した広告は、ユーザーＡ、Ｂのいずれかが携帯電話機を使用するときに、表示される場合がある。
【０００３】
この場合、ユーザーＡが有用として選択した広告はユーザーＡに対しては広告の効果があるが、ユーザーＢにとって有用でなく広告の効果が薄れる場合があるという不都合な問題がある。
すなわち、ユーザーＢにとって有用でない広告は邪魔であり、煩わしがられ、疎まれ、無視される等、広告が逆効果となる場合がある。
【０００４】
ユーザーＢにとって有用でない広告を削除するとユーザーＡは広告を利用できなくなるという問題が発生する。
このように携帯電話機への広告表示に関連する従来技術には以下のようなものがある。
従来、ユーザに対する広告の有効性を高めることができる情報検索システムを提供するため、この情報検索システムは、携帯電話機から送信される検索語情報を受信する情報受信部と、受信した検索語情報に基づいて予め広告情報格納部に格納されている広告情報を選択する広告選択部と、検索語情報を検索サーバに送信する検索語転送部と、を備え、また、広告選択部が広告情報を選択した場合に、その選択した広告情報を、検索語転送部に送信の指示を出力するためのトリガ画像を表示させるためのトリガ表示情報と共に携帯電話機に送信する情報送信部を更に備え、そして、検索語転送部は、トリガ画像の表示に応じて携帯電話機から送信される指示に基づいて検索語情報を送信するものがある（例えば、特許文献１参照）。
【０００５】
しかしながら、上記特許文献１では、ユーザーに対する広告の有効性を高めることができる情報検索を提供側で行うものであるが、複数のユーザによる携帯電話機の共用時における広告の受信の際に広告の効果が薄められるのを防止するものではない。
また、従来、ユーザの嗜好データに合致する番組のみを、煩雑な操作を要求することなく、ユーザにとって見やすい番組表で提供することができ、ユーザの嗜好に合致した番組を見逃してしまう可能性を低減するため、ユーザ個別番組表提供装置は、当該装置に接続してきた端末装置またはそのユーザを特定し、ユーザ嗜好データに基づいて、放送時間帯が互いに重ならない複数の番組データを複数の放送局を縦断して選択し、ユーザ専用の番組表データとして端末装置へ送信し、一方、端末装置は、ユーザ個別番組表提供装置から番組表データを受信し、その番組表データにおける複数の番組の番組データに基づいて、複数の放送局に属する複数の番組を、１列または１行の番組表として、放送時間帯に沿って表示装置に表示するものもある（例えば、特許文献２参照）。
【０００６】
しかしながら、上記特許文献２では、ユーザーにとって見やすい番組表の端末装置への表示を提供側で行うものであるが、複数のユーザーによる携帯電話機の共用時における広告の受信の際に広告の効果が薄められるのを防止するものではない。
また、従来、携帯端末装置の限りがある表示領域を有効に用いて、複数種類の情報をユーザが把握し易いように一元的に表示するため、モバイルサーバ装置は、ユーザからアップロードされたスケジュール帳、及びインターネット上のＷｅｂサーバ装置から収集した天気情報や宣伝・広告情報等をデータベースに記憶して、ユーザから携帯電話機を介してスケジュール帳の閲覧要求及び上記天気情報等の他の情報のダウンロード要求がなされると、これらをデータベースから読み出し、ユーザの携帯電話機に送信し、携帯電話機の制御部は、表示部の表示領域を縦方向に３つに分割し、真ん中の表示領域に日付を表示すると共に、この日付の表示領域を挟んで右側の表示領域にスケジュールを、また、左側の表示領域の各日の天気予報の情報を並列的に表示し、これにより、日付に沿って、スケジュール及び各日の天気を一目で認識し易く表示することができるものもある（例えば、特許文献３参照）。
【０００７】
しかしながら、上記特許文献３では、モバイルサーバ装置から携帯電話機にスケジュール、天気予報を送信し、携帯電話機に表示させるものがあるが、複数のユーザーによる携帯電話機の共用時における広告の受信の際に広告の効果が薄められるのを防止するものではない。
また、従来、ユーザの嗜好を反映し且つ多くの人に対する広告効果を期待することができる広告表示システムを提供することを目的とするため、複数のユーザの嗜好情報を記憶しておき、ユーザの携帯端末から送信された位置情報と前記嗜好情報とから、特定の領域内に存在するユーザの嗜好分布情報を求め、この嗜好分布情報と広告データの嗜好条件情報とが一致する広告データを選択し、選択した広告データを所定の位置に設置されている広告表示装置に表示するものもある（例えば、特許文献４参照）。
【０００８】
しかしながら、上記特許文献４では、嗜好分布情報と広告データの嗜好条件情報とが一致する広告データを選択し、選択した広告データを所定の位置に設置されている広告表示装置に表示するものがあるが、複数のユーザーによる携帯電話機の共用時における広告の受信の際に広告の効果が薄められるのを防止するものではない。
また、従来、ランク付けされ索引付けされた情報を収集しユーザ及び広告主にプレミアムサービスとして供給するためのシステム及び方法を提供するため、情報交換機が、異なるウェッブベースで独自のネットワーク発信源からのＲＳＳ（Ｒｅａｌｌｙ＿Ｓｉｍｐｌｅ＿Ｓｙｎｄｉｃａｔｉｏｎ）及びウェッブサービスベースの情報を集約し、掲載し、申し込むように動作する。最近掲載されたニュース又は在庫情報、新しいサービス又は製品が、システムに掲載され、情報は、入力すると、システムによって処理され、それが利用可能になると、その種類の掲載情報について通知してほしいと表明した一般大衆、関係者又は他のシステムに配信されるものもある（例えば、特許文献５参照）。
【０００９】
しかしながら、上記特許文献５では、ランク付けされ索引付けされた情報を収集しユーザ及び広告主にプレミアムサービスとして提供側で供給するが、複数のユーザーによる携帯電話機の共用時における広告の受信の際に広告の効果が薄められるのを防止するものではない。
【００１０】
【特許文献１】特開２００５−２５１０２１号公報
【特許文献２】特開２００５−２９５００１号公報
【特許文献３】特開２００６−００４３４４号公報
【特許文献４】特開２００７−１０２０５１号公報
【特許文献５】特開２００７−５３１１２２号公報
【発明の開示】
【発明が解決しようとする課題】
【００１１】
したがって、本発明は上記問題点に鑑みて、複数のユーザーによる携帯電話機の共用時における広告の受信の際に広告の効果が薄められるのを防止する広告表示装置、方法、プログラム及び携帯電話機を提供することを目的とする。
【課題を解決するための手段】
【００１２】
本発明は前記問題点を解決するために、受信した広告を表示する広告表示装置において、複数のユーザーデータに対するパスワードをそれぞれ保存する第１のデータベースと、ユーザーデータに対する広告の登録の可否情報を保存する第２のデータベースと、ユーザーデータに対する広告のコンテンツを保存する第３のデータベースと、パスワードを入力し前記第１のデータベースを参照してパスワードを照合しユーザーデータを確認し確認されたユーザーデータに対して前記第２のデータベースへの広告の登録の可否情報を保存しさらに第３のデータベースに受信した広告を保存する制御を行う広告保存制御部と、パスワードを入力し前記第１のデータベースを参照してパスワードを照合しユーザーデータを確認し確認されたユーザーデータに対して前記第２のデータベースに保存されている広告の登録の可否情報に基づいて前記第３のデータベースに保存されている広告のコンテンツを表示する制御を行う広告表示制御部とを備えることを特徴とする広告表示装置を提供する。
【００１３】
さらに、前記広告保存制御部は、パスワードの照合が確認されたユーザーデータに対して前記第２のデータベースにユーザーデータに対する広告の登録の可情報が保存されていない場合には広告の登録要求がある場合に広告の登録の可情報を保存する。
さらに、前記広告保存制御部は、パスワードの照合が確認されたユーザーデータに対して前記第２のデータベースにユーザーデータに対する広告の登録の可情報が保存され、広告保存の要求がある場合に前記第３のデータベースにユーザーデータに対する広告のコンテンツを保存する。
【００１４】
さらに、前記広告表示装置はパスワードの照合が確認されたユーザーデータに対して前記第２のデータベースにユーザーデータに対する広告の登録の可情報が保存され、前記第３のデータベースに広告のコンテンツが保存されている場合に、保存されている広告のコンテンツを表示する。
さらに、本発明は、受信した広告を表示する広告表示方法において、複数のユーザーデータに対するパスワードをそれぞれ保存する第１のデータベースを参照して入力したパスワードを照合してユーザーデータを確認し確認されたユーザーデータに対して第２のデータベースに広告の登録の可否情報を保存しさらに第３のデータベースに受信した広告をコンテンツとして保存する制御を行う工程と、前記第１のデータベースを参照して入力したパスワードを照合しユーザーデータを確認し確認されたユーザーデータに対して前記第２のデータベースに保存されている広告の登録の可否情報に基づいて前記第３のデータベースに保存されている広告のコンテンツを表示する制御を行う工程とを備えることを特徴とする広告表示方法を提供する。
【００１５】
さらに、本発明は、受信した広告を表示する広告表示プログラムにおいて、複数のユーザーデータに対するパスワードをそれぞれ保存する第１のデータベースを参照して入力したパスワードを照合してユーザーデータを確認し確認されたユーザーデータに対して第２のデータベースに広告の登録の可否情報を保存しさらに第３のデータベースに受信した広告をコンテンツとして保存する制御を行う手順と、前記第１のデータベースを参照して入力したパスワードを照合しユーザーデータを確認し確認されたユーザーデータに対して前記第２のデータベースに保存されている広告の登録の可否情報に基づいて前記第３のデータベースに保存されている広告のコンテンツを表示する制御を行う手順とを備えることを特徴とする広告表示プログラムを提供する。
【００１６】
さらに、本発明は、受信した広告を表示する携帯電話機において、複数のユーザーデータに対するパスワードをそれぞれ保存する第１のデータベースと、ユーザーデータに対する広告の登録の可否情報を保存する第２のデータベースと、ユーザーデータに対する広告のコンテンツを保存する第３のデータベースと、Ｗｅｂアクセス時にパスワードを入力し前記第１のデータベースを参照してパスワードを照合しユーザーデータを確認し確認されたユーザーデータに対して前記第２のデータベースへの広告の登録の可否情報を保存しさらに第３のデータベースに受信した広告を保存する制御を行う広告保存制御部と、発着信時にパスワードを入力し前記第１のデータベースを参照してパスワードを照合しユーザーデータを確認し確認されたユーザーデータに対して前記第２のデータベースに保存されている広告の登録の可否情報に基づいて前記第３のデータベースに保存されている広告のコンテンツを表示する制御を行う広告表示制御部とを備えることを特徴とする広告表示装置を提供する。
【発明の効果】
【００１７】
以上説明したように、本発明によれば、複数のユーザーデータに対するパスワードをそれぞれ保存する第１のデータベースを参照して入力したパスワードを照合してユーザーデータを確認し確認されたユーザーデータに対して第２のデータベースに広告の登録の可否情報を保存しさらに第３のデータベースに受信した広告をコンテンツとして保存する制御を行い、第１のデータベースを参照して入力したパスワードを照合しユーザーデータを確認し確認されたユーザーデータに対して第２のデータベースに保存されている広告の登録の可否情報に基づいて第３のデータベースに保存されている広告のコンテンツを表示する制御を行うようにしたので、広告コンテンツが提示されるべきユーザーが携帯電話機を使用すると共に広告が表示され、広告コンテンツが提示されるべきでないユーザーが携帯電話機を使用する際には広告が表示されない。このため、広告が保存されるユーザーに対して広告が表示され、広告が保存されないユーザーに対して広告が表示されないので、広告の効果が薄れるのを防止可能となる。
【００１８】
なお、一方のユーザーに対して保存されている広告と他方のユーザーに対して保存されている広告とが同じ場合には同じ広告は一方のユーザーと他方のユーザーの双方に対して表示可能である。
一方のユーザーに対して保存される広告と他方のユーザーに対して保存される広告とが異なる場合には一方のユーザーに対して保存されている広告は他方のユーザーに対して表示されず、逆に、他方のユーザーに対して保存されている広告は一方のユーザーに対して表示されない。
【発明を実施するための最良の形態】
【００１９】
以下、本発明の実施の形態について図面を参照して説明する。
図１は本発明に係る携帯電話機の概略構成を示すブロック図である。本図に示す携帯電話機１００は複数のユーザーにより共用されるものであり、各々のユーザーにより、図示しない基地局を介して他の携帯電話機１００と通話、通信、又はＷｅｂへのアクセスを行う。
【００２０】
本図に示すように、携帯電話機１００には送受信部１０１、受話部１０２、送話部１０３、表示部１０４、キー操作部１０５、メモリ１０６及び制御部１０７が設けられる。
送受信部１０１は通話、通信、又はＷｅｂへのアクセスを無線で、基地局を介して、行う。
受話部１０２はスピーカで構成され、ユーザーに対する受話機能を有する。
【００２１】
送話部１０３はマイクロフォンで構成され、ユーザーに対する送話機能を有する。
表示部１０４はＬＣＤ（液晶表示部）で構成され、データの表示、機能の表示等を行う。
キー操作部１０５は複数のキーで構成され、データ、機能操作の情報の入力を行う。
メモリ１０６はＲＯＭ（リード・オンリ・メモリ）、ＲＡＭ（ランダム・アクセス・メモリ）、キャッシュメモリ等で構成され、携帯電話機の制御に必要なデータ、プログラム等を保存すると共に、特に、広告の表示を制御するためのプログラムを保存する。
【００２２】
制御部１０７はＣＰＵ（中央演算処理装置）で構成され、携帯電話機の全体の一般的な制御を行うと共に、広告保存制御部１０７Ａ及び広告表示制御部１０７Ｂを有し、広告の保存、表示の制御動作等をプログラムで実行する。
広告保存制御部１０７Ａは携帯電話機１００の使用を制限されたユーザーのうち特定されたユーザーに対して広告の保存を制御する。
【００２３】
広告表示制御部１０７Ｂは広告保存制御部１０７Ａにより保存された広告を特定のユーザーに対して広告の表示を制御する。
図２は図１におけるメモリ１０６の概略構成を示すブロック図である。本図に示すように、メモリ１０６には携帯電話機を使用できるユーザーのデータベース１０６Ａ、広告が対象とするユーザーのデータベース１０６Ｂ及び広告コンテンツのデータベース１０６Ｃが設けられる。
【００２４】
図３は図２における携帯電話機を使用できるユーザーのデータベース１０６Ａの概略内容を説明する図である。本図に示すように、データベース１０６Ａには複数のユーザーデータＡ、Ｂ、Ｃ、Ｄ、Ｅ、…、に対してそれぞれパスワードが、キー操作部１０５、表示部１０４を用いて、保存され、保存されたパスワードは各ユーザーが通話、通信、Ｗｅｂのアクセス等を行うときに各ユーザーを識別するために使用される。
【００２５】
図４は図２における広告が対象とするユーザーのデータベース１０６Ｂの概略内容を説明する図である。本図に示すように、データベース１０６Ｂには各ユーザーＡ、Ｂ、Ｃ、Ｄ、…データに対して広告登録の可否がキー操作部１０５、表示部１０４を用いて、登録される。例えば、ユーザーデータＡ、Ｃ、Ｅに対しては広告登録を可とする情報が保存され、ユーザーデータＢ、Ｄに対しては広告登録を否とする情報が保存される。
【００２６】
図５は図２における広告コンテンツのデータベース１０６Ｃの概略内容を説明する図である。本図に示すように、データベース１０６Ｃには、広告登録を可能としたユーザーデータに対してコンテンツが保存される。例えば、ユーザーデータＡに対してコンテンツａ、ｂが保存され、ユーザーデータＣに対してコンテンツｃ、ｄ、ｅが保存され、ユーザデータＥに対してコンテンツが保存されていないとする。
図６は図１における携帯電話機の制御部１０７における広告保存制御部１０７Ａ、広告表示制御部１０７Ｂの一連の動作例を説明するフローチャートである。本図に示すように、ステップＳ２０１において、ユーザーによりキー操作部１０５でパスワードが入力される。
【００２７】
ステップＳ２０２において、制御部１０７ではメモリ１０６から携帯電話機を使用できるユーザーのデータベース１０６Ａを選択して入力されたパスワードの照合を行い、一致しない場合には処理を終了し、ユーザーによる携帯電話機１００の使用が不可能となる。
ステップＳ２０３において、制御回路１０７では入力されたパスワードの照合が一致する場合にはユーザーを特定し、携帯電話機１００の使用が可能となる。
【００２８】
ステップＳ２０４において、携帯電話機１００の通話、メールの発着信が行われたか否かを確認する。発着信が行われた場合にはステップＳ２１３に進む。
ステップＳ２０５において、発着信ではなくＷｅｂへのアクセスが行われたかを確認する。確認できない場合には処理を終了する。
ステップＳ２０６において、Ｗｅｂへのアクセスが確認できた場合には広告保存制御部１０７Ａでは広告情報を表示する要求があるかを確認する。要求を確認できた場合には表示部１０４に広告情報を表示する。確認できない場合には処理を終了する。
【００２９】
ステップＳ２０７において、表示部１０４に表示された広告情報に対して広告情報を入手する要求があるかを確認する。確認できない場合には処理を終了する。
ステップＳ２０８において、広告保存制御部１０７Ａでは入手要求を確認できる場合には広告が対象とするユーザーのデータベース１０６Ｂに対して既にユーザー登録があるかを確認する。確認できない場合にはステップＳ２１１に進む。
【００３０】
ステップＳ２０９において、広告保存制御部１０７Ａでは広告保存の要求が有るかを確認する。確認できない場合には処理を終了する。
ステップＳ２１０において、広告保存制御部１０７Ａでは広告保存の要求が有る場合には広告コンテンツのデータベース１０６Ｃに表示された広告情報を保存し処理を終了する。
【００３１】
ステップＳ２１１において、広告保存制御部１０７Ａでは広告が対象とするデータベース１０６Ｂに対してユーザー登録要求が有るかを確認する。確認できない場合には処理を終了する。
ステップＳ２１２において、広告保存制御部１０７Ａではユーザー登録要求がある場合には広告が対象とするデータベース１０６Ｂに対してユーザー登録を行い、ステップＳ２０９に進む。
【００３２】
ステップＳ２１３において、発着信がある場合には広告表示制御部１０７Ｂでは広告表示の要求があるかを確認する。確認できない場合には処理を終了する。
ステップＳ２１４において、広告表示の要求があった場合には、メモリ１０６から広告が対象とするユーザーのデータベース１０６Ｂを選択して、ユーザーの広告登録の可否をチェックする。登録が不可の場合には処理を終了する。
【００３３】
ステップＳ２１５において、登録が可能である場合には広告表示制御部１０７Ｂではメモリ１０６から広告コンテンツのデータベース１０６Ｃを選択して広告コンテンツのデータベース１０６Ｃに広告登録可能であるユーザーに対するコンテンツが保存されているかを確認する。保存されていない場合には処理を終了する。
ステップＳ２１６において、コンテンツが保存されている場合には広告表示制御部１０７Ｂでは表示部１０４に広告情報を表示し、処理を終了する。
【００３４】
このようにして、本発明によれば、広告コンテンツが提示されるべきユーザーが携帯電話機を使用すると共に広告が表示され、広告コンテンツが提示されるべきでないユーザーが携帯電話機を使用する際には広告が表示されない。このため、広告が保存されるユーザーに対して広告が表示され、広告が保存されないユーザーに対して広告が表示されないので、広告の効果が薄れるのを防止することが可能となる。
【００３５】
なお、一方のユーザーに対して保存されている広告と他方のユーザーに対して保存されている広告とが同じ場合には同じ広告は一方のユーザーと他方のユーザーの双方に対して表示可能である。
一方のユーザーに対して保存される広告と他方のユーザーに対して保存される広告とが異なる場合には一方のユーザーに対して保存されている広告は他方のユーザーに対して表示されず、逆に、他方のユーザーに対して保存されている広告は一方のユーザーに対して表示されない。
【産業上の利用可能性】
【００３６】
以上の説明は、携帯電話機について行ったが、これに限定されず、ＰＨＳ（簡易型携帯電話機）、ＰＤＡ（携帯情報端末）、パーソナルコンピュータ等にも本発明の利用が可能である。
【図面の簡単な説明】
【００３７】
【図１】本発明に係る携帯電話機の概略構成を示すブロック図である。
【図２】図１におけるメモリ１０６の概略構成を示すブロック図である。
【図３】図２における携帯電話機を使用できるユーザーのデータベース１０６Ａの概略内容を説明する図である。
【図４】図２における広告が対象とするユーザーのデータベース１０６Ｂの概略内容を説明する図である。
【図５】図２における広告コンテンツのデータベース１０６Ｃの概略内容を説明する図である。
【図６】図１における携帯電話機の制御部１０７における広告保存制御部１０７Ａ、広告表示制御部１０７Ｂの一連の動作例を説明するフローチャートである。
【符号の説明】
【００３８】
１００…携帯電話機
１０１…送受信部
１０２…受話部
１０３…送話部
１０４…表示部
１０５…キー操作部
１０６…メモリ
１０６Ａ、１０６Ｂ、１０６Ｃ…データベース
１０７…制御部
１０７Ａ…広告保存制御部
１０７Ｂ…広告表示制御部
【図１】
2009199471.tif 000003
【図２】
2009199471.tif 000004
【図３】
2009199471.tif 000005
【図４】
2009199471.tif 000006
【図５】
2009199471.tif 000007
【図６】
2009199471.tif 000008